(57)【要約】      （修正有）【課題】日常の家屋内やアウトドア等の各種場面において、極めて多岐にわたる用途に活用でき、ファッション性にも優れた多用途身体着用具セットを提供する。【解決手段】多用途身体着用具セット１は、長方形状で中綿キルティング仕様とした表片と、長方形状でアウターポケット１６を設けた裏片１４とを重合し、二つ折り及び展開可能であり、内部にインナーポケット領域１５を形成する二重構造とした外装具本体と、インナーポケット領域１５用の第１線ファスナー１７及び第２線ファスナー１８と、一対の取っ手２０Ａ、２０Ｂとを具備する外装具１１と、内装具本体と、内装具本体の平行な両辺略全域に各々取り付けたループファスナーと、内装具本体の他の両辺略全域に各々取り付けたオープンファスナーと、中央部を開口又は閉塞する止めファスナーとを具備する身体着用内装具とを有するものである。【選択図】図２
0003188548.tif 000002
【実用新案登録請求の範囲】
【請求項１】
中綿キルティング仕様とした表片と、外面側を防水布貼り仕様とし、かつ、一方の短辺側が開口し外面を防水布貼り仕様のアウターポケットを設けた裏片とを重合して、両側長辺を逢着又はその他の結合手段により結合して二つ折り及び展開可能であり、内部にインナーポケット領域を形成する二重構造とした外装具本体と、前記外装具本体における表片の一方の短辺と、この短辺に対応する裏片のアウターポケット側の短辺との重合端縁部分を開閉可能とする第１線ファスナーと、前記外装具本体における表片の他方の短辺と、この短辺に対応する裏片の他方の短辺との重合端縁部分を開閉可能とする第２線ファスナーと、を具備する端辺開閉ファスナー機構部と、前記外装具本体における一方の短辺、他方の短辺に各々対称配置に取り付けた一対の取っ手と、を具備する外装具と、
折り畳み展開可能なシート状に形成した内装具本体と、前記内装具本体の平行な両辺略全域に各々取り付けたループファスナーと、前記内装具本体の平行な他方の両辺略全域に各々取り付けた一対のエレメント及びスライダを含む一対構成のオープンファスナーと、前記内装具本体における中央部で、かつ、前記オープンファスナーと平行な位置であって両隅部を除いた領域に設けた前記内装具本体の中央部を開口又は閉塞する止めファスナーと、を具備する身体着用内装具と、
を有することを特徴とする多用途身体着用具セット。
【請求項２】
ナイロンリップ素材を用いて、中綿キルティング仕様とした長方形状の表片と、外面側を防水布貼り仕様とし、かつ、一方の短辺側が開口し外面を防水布貼り仕様のアウターポケットを設けた長方形状の裏片とを重合して、両側長辺を逢着又はその他の結合手段により結合して二つ折り及び展開可能であり、内部にインナーポケット領域を形成する二重構造とした外装具本体と、前記外装具本体における表片の一方の短辺と、この短辺に対応する裏片のアウターポケット側の短辺との重合端縁部分を開閉可能とする第１線ファスナーと、前記外装具本体における表片の他方の短辺と、この短辺に対応する裏片の他方の短辺との重合端縁部分を開閉可能とする第２線ファスナーと、を具備する端辺開閉ファスナー機構部と、前記外装具本体における一方の短辺、他方の短辺に各々対称配置に取り付けた一対の取っ手と、前記一対の取っ手を重ねたときこれら一対の取っ手を止着するドット釦と、を具備する外装具と、
起毛素材とナイロンリップ素材とを用いて、四角形状で折り畳み展開可能な四角形シート状に形成した内装具本体と、前記内装具本体の平行な両辺略全域に各々取り付けたループファスナーと、前記内装具本体の平行な他方の両辺略全域に各々取り付けた一対のエレメント及びスライダを含む一対構成のオープンファスナーと、前記内装具本体における中央部で、かつ、前記オープンファスナーと平行な位置であって両隅部を除いた領域に設けた前記内装具本体の中央部を開口又は閉塞する止めファスナーと、を具備する身体着用内装具と、
を有することを特徴とする多用途身体着用具セット。
【請求項３】
ナイロンリップ素材を用いて、中綿キルティング仕様とした長方形状の表片と、外面側を防水布貼り仕様とし、かつ、一方の短辺側が開口し外面を防水布貼り仕様のアウターポケットを設けた長方形状の裏片とを重合して、両側長辺を逢着又はその他の結合手段により結合して二つ折り及び展開可能であり、内部にインナーポケット領域を形成する二重構造とした外装具本体と、前記外装具本体における表片の一方の短辺と、この短辺に対応する裏片のアウターポケット側の短辺との重合端縁部分を開閉可能とする第１線ファスナーと、前記外装具本体における表片の他方の短辺と、この短辺に対応する裏片の他方の短辺との重合端縁部分を開閉可能とする第２線ファスナーと、を具備する端辺開閉ファスナー機構部と、前記外装具本体における一方の短辺、他方の短辺に各々対称配置に取り付けた一対の取っ手と、前記一対の取っ手を重ねたときこれら一対の取っ手を止着するドット釦と、を具備する外装具と、
起毛素材とナイロンリップ素材とを用いて、四角形状で折り畳み展開可能な四角形シート状に形成した内装具本体と、前記内装具本体の平行な両辺略全域に各々取り付けたループファスナーと、前記内装具本体の平行な他方の両辺略全域に各々取り付けた一対のエレメント及びスライダを含む一対構成のオープンファスナーと、前記内装具本体における中央部で、かつ、前記オープンファスナーと平行な位置であって両隅部を除いた領域に設けた前記内装具本体の中央部を開口又は閉塞する止めファスナーと、を具備する身体着用内装具と、
を有し、
前記外装具を展開状態とし、一対の取っ手を前記インナーポケット領域又はアウターポケット内に収納するとともに、防水布貼り仕様とした外面側を下面として地面、床面に敷くことにより、前記外装具をシート又は敷物として機能させること、を特徴とする多用途身体着用具セット。
【請求項４】
ナイロンリップ素材を用いて、中綿キルティング仕様とした長方形状の表片と、外面側を防水布貼り仕様とし、かつ、一方の短辺側が開口し外面を防水布貼り仕様のアウターポケットを設けた長方形状の裏片とを重合して、両側長辺を逢着又はその他の結合手段により結合して二つ折り及び展開可能であり、内部にインナーポケット領域を形成する二重構造とした外装具本体と、前記外装具本体における表片の一方の短辺と、この短辺に対応する裏片のアウターポケット側の短辺との重合端縁部分を開閉可能とする第１線ファスナーと、前記外装具本体における表片の他方の短辺と、この短辺に対応する裏片の他方の短辺との重合端縁部分を開閉可能とする第２線ファスナーと、を具備する端辺開閉ファスナー機構部と、前記外装具本体における一方の短辺、他方の短辺に各々対称配置に取り付けた一対の取っ手と、前記一対の取っ手を重ねたときこれら一対の取っ手を止着するドット釦と、を具備する外装具と、
起毛素材とナイロンリップ素材とを用いて、四角形状で折り畳み展開可能な四角形シート状に形成した内装具本体と、前記内装具本体の平行な両辺略全域に各々取り付けたループファスナーと、前記内装具本体の平行な他方の両辺略全域に各々取り付けた一対のエレメント及びスライダを含む一対構成のオープンファスナーと、前記内装具本体における中央部で、かつ、前記オープンファスナーと平行な位置であって両隅部を除いた領域に設けた前記内装具本体の中央部を開口又は閉塞する止めファスナーと、を具備する身体着用内装具と、
を有し、
前記外装具の一対の取っ手を前記インナーポケット領域又はアウターポケット内に折り込み、かつ、身体着用内装具を折り畳みインナーポケット領域内に収納するするとともに、前記外装具本体を中央から二つ折りし、二つ折り状態におけるインナーポケット領域内に前記内装具を折り畳み状態で収納し、前記外装具を枕又はクッションとして機能させること、を特徴とする多用途身体着用具セット。
【請求項５】
ナイロンリップ素材を用いて、中綿キルティング仕様とした長方形状の表片と、外面側を防水布貼り仕様とし、かつ、一方の短辺側が開口し外面を防水布貼り仕様のアウターポケットを設けた長方形状の裏片とを重合して、両側長辺を逢着又はその他の結合手段により結合して二つ折り及び展開可能であり、内部にインナーポケット領域を形成する二重構造とした外装具本体と、前記外装具本体における表片の一方の短辺と、この短辺に対応する裏片のアウターポケット側の短辺との重合端縁部分を開閉可能とする第１線ファスナーと、前記外装具本体における表片の他方の短辺と、この短辺に対応する裏片の他方の短辺との重合端縁部分を開閉可能とする第２線ファスナーと、を具備する端辺開閉ファスナー機構部と、前記外装具本体における一方の短辺、他方の短辺に各々対称配置に取り付けた一対の取っ手と、前記一対の取っ手を重ねたときこれら一対の取っ手を止着するドット釦と、を具備する外装具と、
起毛素材とナイロンリップ素材とを用い、四角形状で折り畳み展開可能な四角形シート状に形成した内装具本体と、前記内装具本体の平行な両辺略全域に各々取り付けたループファスナーと、前記内装具本体の平行な他方の両辺略全域に各々取り付けた一対のエレメント及びスライダを含む一対構成のオープンファスナーと、前記内装具本体における中央部で、かつ、前記オープンファスナーと平行な位置であって両隅部を除いた領域に設けた前記内装具本体の中央部を開口又は閉塞する止めファスナーと、を具備する身体着用内装具と、
を有し、
前記外装具本体を中央から二つ折りし、一対の取っ手同士を重ねるとともにドット釦により前記一対の取っ手を止着して、前記外装具を手持ちバッグとして機能させるようにしたとともに、前記二重ポケット構造により、比較的寸法の大きい物品用のポケットと、小物入れ用のポケットとに分別使用できるようにしたこと、を特徴とする多用途身体着用具セット。
【請求項６】
ナイロンリップ素材を用いて、中綿キルティング仕様とした長方形状の表片と、外面側を防水布貼り仕様とし、かつ、一方の短辺側が開口し外面を防水布貼り仕様のアウターポケットを設けた長方形状の裏片とを重合して、両側長辺を逢着又はその他の結合手段により結合して二つ折り及び展開可能であり、内部にインナーポケット領域を形成する二重構造とした外装具本体と、前記外装具本体における表片の一方の短辺と、この短辺に対応する裏片のアウターポケット側の短辺との重合端縁部分を開閉可能とする第１線ファスナーと、前記外装具本体における表片の他方の短辺と、この短辺に対応する裏片の他方の短辺との重合端縁部分を開閉可能とする第２線ファスナーと、を具備する端辺開閉ファスナー機構部と、前記外装具本体における一方の短辺、他方の短辺に各々対称配置に取り付けた一対の取っ手と、前記一対の取っ手を重ねたときこれら一対の取っ手を止着するドット釦と、を具備する外装具と、
起毛素材とナイロンリップ素材とを用いて、四角形状で折り畳み展開可能な四角形シート状に形成した内装具本体と、前記内装具本体の平行な両辺略全域に各々取り付けたループファスナーと、前記内装具本体の平行な他方の両辺略全域に各々取り付けた一対のエレメント及びスライダを含む一対構成のオープンファスナーと、前記内装具本体における中央部で、かつ、前記オープンファスナーと平行な位置であって両隅部を除いた領域に設けた前記内装具本体の中央部を開口又は閉塞する止めファスナーと、を具備する身体着用内装具と、
を有し、
前記身体着用内装具における内装具本体の起毛素材側を内面にして中央部から二つ折りするとともに、止めファスナーを開いて内装具本体の中央部を開口し、かつ、内装具本体の両辺に各々取り付けたループファスナーの一部を開ける態様として、使用者の頭部が前記中央部から突出し両手が両側のループファスナー外方に突出するポンチョとして機能させること、を特徴とする多用途身体着用具セット。
【請求項７】
ナイロンリップ素材を用いて、中綿キルティング仕様とした長方形状の表片と、外面側を防水布貼り仕様とし、かつ、一方の短辺側が開口し外面を防水布貼り仕様のアウターポケットを設けた長方形状の裏片とを重合して、両側長辺を逢着又はその他の結合手段により結合して二つ折り及び展開可能であり、内部にインナーポケット領域を形成する二重構造とした外装具本体と、前記外装具本体における表片の一方の短辺と、この短辺に対応する裏片のアウターポケット側の短辺との重合端縁部分を開閉可能とする第１線ファスナーと、前記外装具本体における表片の他方の短辺と、この短辺に対応する裏片の他方の短辺との重合端縁部分を開閉可能とする第２線ファスナーと、を具備する端辺開閉ファスナー機構部と、前記外装具本体における一方の短辺、他方の短辺に各々対称配置に取り付けた一対の取っ手と、前記一対の取っ手を重ねたときこれら一対の取っ手を止着するドット釦と、を具備する外装具と、
起毛素材とナイロンリップ素材とを用いて、四角形状で折り畳み展開可能な四角形シート状に形成した内装具本体と、前記内装具本体の平行な両辺略全域に各々取り付けたループファスナーと、前記内装具本体の平行な他方の両辺略全域に各々取り付けた一対のエレメント及びスライダを含む一対構成のオープンファスナーと、前記内装具本体における中央部で、かつ、前記オープンファスナーと平行な位置であって両隅部を除いた領域に設けた前記内装具本体の中央部を開口又は閉塞する止めファスナーと、を具備する身体着用内装具と、
を有し、
前記身体着用内装具における内装具本体の起毛素材側を内面にして中央から二つ折りし、内装具本体の止めファスナーを閉じ、かつ、内装具本体の両辺に各々取り付けたループファスナーの一部を開ける態様として、オープンファスナーを取り付けた一方の辺の中央部を首の後ろにして肩から被り、両手が両側のループファスナー外方に突出するモモンガとして機能させること、を特徴とする多用途身体着用具セット。
【請求項８】
ナイロンリップ素材を用いて、中綿キルティング仕様とした長方形状の表片と、外面側を防水布貼り仕様とし、かつ、一方の短辺側が開口し外面を防水布貼り仕様のアウターポケットを設けた長方形状の裏片とを重合して、両側長辺を逢着又はその他の結合手段により結合して二つ折り及び展開可能であり、内部にインナーポケット領域を形成する二重構造とした外装具本体と、前記外装具本体における表片の一方の短辺と、この短辺に対応する裏片のアウターポケット側の短辺との重合端縁部分を開閉可能とする第１線ファスナーと、前記外装具本体における表片の他方の短辺と、この短辺に対応する裏片の他方の短辺との重合端縁部分を開閉可能とする第２線ファスナーと、を具備する端辺開閉ファスナー機構部と、前記外装具本体における一方の短辺、他方の短辺に各々対称配置に取り付けた一対の取っ手と、前記一対の取っ手を重ねたときこれら一対の取っ手を止着するドット釦と、を具備する外装具と、
起毛素材とナイロンリップ素材とを用いて、四角形状で折り畳み展開可能な四角形シート状に形成した内装具本体と、前記内装具本体の平行な両辺略全域に各々取り付けたループファスナーと、前記内装具本体の平行な他方の両辺略全域に各々取り付けた一対のエレメント及びスライダを含む一対構成のオープンファスナーと、前記内装具本体における中央部で、かつ、前記オープンファスナーと平行な位置であって両隅部を除いた領域に設けた前記内装具本体の中央部を開口又は閉塞する止めファスナーと、を具備する身体着用内装具と、
を有し、
前記身体着用内装具における内装具本体の起毛素材側を内面にし、内装具本体の止めファスナーを開け、かつ、内装具本体の両辺に各々取り付けたループファスナーの一部を開ける態様とし、更に、肩回りを折り返した状態で、使用者の頭部が前記中央部から突出し両手が両側のループファスナー外方に突出するように着ることで、この身体着用内装具をジレ又はベストとして機能させること、を特徴とする多用途身体着用具セット。
【請求項９】
ナイロンリップ素材を用いて、中綿キルティング仕様とした長方形状の表片と、外面側を防水布貼り仕様とし、かつ、一方の短辺側が開口し外面を防水布貼り仕様のアウターポケットを設けた長方形状の裏片とを重合して、両側長辺を逢着又はその他の結合手段により結合して二つ折り及び展開可能であり、内部にインナーポケット領域を形成する二重構造とした外装具本体と、前記外装具本体における表片の一方の短辺と、この短辺に対応する裏片のアウターポケット側の短辺との重合端縁部分を開閉可能とする第１線ファスナーと、前記外装具本体における表片の他方の短辺と、この短辺に対応する裏片の他方の短辺との重合端縁部分を開閉可能とする第２線ファスナーと、を具備する端辺開閉ファスナー機構部と、前記外装具本体における一方の短辺、他方の短辺に各々対称配置に取り付けた一対の取っ手と、前記一対の取っ手を重ねたときこれら一対の取っ手を止着するドット釦と、を具備する外装具と、
起毛素材とナイロンリップ素材とを用いて、四角形状で折り畳み展開可能な四角形シート状に形成した内装具本体と、前記内装具本体の平行な両辺略全域に各々取り付けたループファスナーと、前記内装具本体の平行な他方の両辺略全域に各々取り付けた一対のエレメント及びスライダを含む一対構成のオープンファスナーと、前記内装具本体における中央部で、かつ、前記オープンファスナーと平行な位置であって両隅部を除いた領域に設けた前記内装具本体の中央部を開口又は閉塞する止めファスナーと、を具備する身体着用内装具と、
を有し、
前記身体着用内装具を展開状態とするとともに、前記身体着用内装具における内装具本体の起毛素材側を内面にし、内装具本体の止めファスナーを開け、開口した中央部を使用者の腰回りに着用することで、この身体着用内装具をスカートとして機能させること、を特徴とする多用途身体着用具セット。
【請求項１０】
ナイロンリップ素材を用いて、中綿キルティング仕様とした長方形状の表片と、外面側を防水布貼り仕様とし、かつ、一方の短辺側が開口し外面を防水布貼り仕様のアウターポケットを設けた長方形状の裏片とを重合して、両側長辺を逢着又はその他の結合手段により結合して二つ折り及び展開可能であり、内部にインナーポケット領域を形成する二重構造とした外装具本体と、前記外装具本体における表片の一方の短辺と、この短辺に対応する裏片のアウターポケット側の短辺との重合端縁部分を開閉可能とする第１線ファスナーと、前記外装具本体における表片の他方の短辺と、この短辺に対応する裏片の他方の短辺との重合端縁部分を開閉可能とする第２線ファスナーと、を具備する端辺開閉ファスナー機構部と、前記外装具本体における一方の短辺、他方の短辺に各々対称配置に取り付けた一対の取っ手と、前記一対の取っ手を重ねたときこれら一対の取っ手を止着するドット釦と、を具備する外装具と、
起毛素材とナイロンリップ素材とを用いて、四角形状で折り畳み展開可能な四角形シート状に形成した内装具本体と、前記内装具本体の平行な両辺略全域に各々取り付けたループファスナーと、前記内装具本体の平行な他方の両辺略全域に各々取り付けた一対のエレメント及びスライダを含む一対構成のオープンファスナーと、前記内装具本体における中央部で、かつ、前記オープンファスナーと平行な位置であって両隅部を除いた領域に設けた前記内装具本体の中央部を開口又は閉塞する止めファスナーと、を具備する身体着用内装具と、
を有し、
前記身体着用内装具における内装具本体の起毛素材側を内面にして中央から二つ折りし、この身体着用内装具をケット態様で機能させること、を特徴とする多用途身体着用具セット。
【請求項１１】
ナイロンリップ素材を用いて、中綿キルティング仕様とした長方形状の表片と、外面側を防水布貼り仕様とし、かつ、一方の短辺側が開口し外面を防水布貼り仕様のアウターポケットを設けた長方形状の裏片とを重合して、両側長辺を逢着又はその他の結合手段により結合して二つ折り及び展開可能であり、内部にインナーポケット領域を形成する二重構造とした外装具本体と、前記外装具本体における表片の一方の短辺と、この短辺に対応する裏片のアウターポケット側の短辺との重合端縁部分を開閉可能とする第１線ファスナーと、前記外装具本体における表片の他方の短辺と、この短辺に対応する裏片の他方の短辺との重合端縁部分を開閉可能とする第２線ファスナーと、を具備する端辺開閉ファスナー機構部と、前記外装具本体における一方の短辺、他方の短辺に各々対称配置に取り付けた一対の取っ手と、前記一対の取っ手を重ねたときこれら一対の取っ手を止着するドット釦と、を具備する外装具と、
起毛素材とナイロンリップ素材とを用いて、四角形状で折り畳み展開可能な四角形シート状に形成した内装具本体と、前記内装具本体の平行な両辺略全域に各々取り付けたループファスナーと、前記内装具本体の平行な他方の両辺略全域に各々取り付けた一対のエレメント及びスライダを含む一対構成のオープンファスナーと、前記内装具本体における中央部で、かつ、前記オープンファスナーと平行な位置であって両隅部を除いた領域に設けた前記内装具本体の中央部を開口又は閉塞する止めファスナーと、を具備する身体着用内装具と、
を有し、
前記身体着用内装具における内装具本体の起毛素材側を内面にして中央から二つ折りして、一対構成のオープンファスナーを、一部を除いて各々閉状態とし、使用者の身体の一部を内装具本体内に挿入することで、この身体着用内装具をシュラフとして機能させること、を特徴とする多用途身体着用具セット。
【考案の詳細な説明】
【技術分野】
【０００１】
本考案は、多用途身体着用具セットに関し、詳しくは、日常の家屋内やアウトドア等の各種場面において、極めて多岐にわたる用途に活用でき、ファッション性にも優れた多用途身体着用具セットに関するものである。
【背景技術】
【０００２】
近年、保温性、クッション性を有する布材を用い、主に敷物類、寝具類又はこれらに近似した用途に使用できるようにした用具が提案され、実用化されている。
【０００３】
特許文献１には、この種の用具の一例として、防寒性を有する布材より長方形状に形成され、人の体全体を包容することのできる程度の大きさの布団、マットの部分と、該布団、マットの部分の短辺の間の中央部にその開口部を短辺の内側にしてポケット状に縫着されて、布団、マットの部分を収納部とほぼ同じ大きさに畳んで収納するクッション又は座布団のサイズを持った収納部と、前記布団、マットの部分の二つの長辺、及び一方の短辺に連続してコの字状に設けられたスライドファスナとを具備し、布団、座布団、マット若しくはクッションまたは寝袋等、主に敷物類、寝具類又はこれらに近似した用途に使用できるように構成した多用途クッションが提案されている。
【０００４】
また、特許文献２には、使用者の上半身等に着用するコート等の衣類であって、フード、手袋等を一体化した多目的衣類が提案されている。
【０００５】
しかし、特許文献１の多用途クッションの場合、主に敷物類、寝具類又はこれらに近似した用途等、比較的狭範囲の用途に限られるものであつた。
【０００６】
また、特許文献２の多目的衣類の場合、専ら衣類用途に限られるものである。
【先行技術文献】
【特許文献】
【０００７】
【特許文献１】特開２００４−３２１４１５号公報
【特許文献２】特表２００５−５１７８２８号公報
【考案の概要】
【考案が解決しようとする課題】
【０００８】
本考案が解決しようとする課題は、軽量、コンパクトで、機能性、ファッション性を備え、インドア、アウトドアを問わず、保温性、防寒性を有する衣類用途、寝具用途、敷物用途は勿論のこと、物品運搬用途等にも使用でき、極めて多岐にわたる用途に活用できるような斬新な多用途身体着用具セットが存在しない点である。
【課題を解決するための手段】
【０００９】
本考案に係る多用途身体着用具セットは、中綿キルティング仕様とした長方形状の表片と、外面側を防水布貼り仕様とし、かつ、一方の短辺側が開口し外面を防水布貼り仕様のアウターポケットを設けた長方形状の裏片とを重合し、両側長辺を逢着等により結合して二つ折り及び展開可能であり、内部にインナーポケット領域を形成する二重構造とした外装具本体と、前記外装具本体における表片の一方の短辺と、この短辺に対応する裏片のアウターポケット側の短辺との重合端縁部分を開閉可能とする第１線ファスナーと、前記外装具本体における表片の他方の短辺と、この短辺に対応する裏片の他方の短辺との重合端縁部分を開閉可能とする第２線ファスナーと、を具備する端辺開閉ファスナー機構部と、前記外装具本体における一方の短辺、他方の短辺に各々対称配置に取り付けた一対の取っ手と、を具備する外装具と、四角形状で折り畳み展開可能な四角形シート状に形成した内装具本体と、前記内装具本体の平行な両辺略全域に各々取り付けたループファスナーと、前記内装具本体の平行な他方の両辺略全域に各々取り付けた一対のエレメント及びスライダを含む一対構成のオープンファスナーと、前記内装具本体における中央部で、かつ、前記オープンファスナーと平行な位置であって両隅部を除いた領域に設けた前記内装具本体の中央部を開口又は閉塞する止めファスナーと、を具備する身体着用内装具と、を有することを最も主要な特徴とする。
【考案の効果】
【００１０】
請求項１記載の考案によれば、中綿キルティング仕様とした表片と、外面側を防水布貼り仕様とし、かつ、一方の短辺側が開口し外面を防水布貼り仕様のアウターポケットを設けた裏片とを重合し、両側長辺を逢着又はその他の結合手段により結合して二つ折り及び展開可能であり、内部にインナーポケット領域を形成する二重構造とした外装具本体と、前記外装具本体における表片の一方の短辺と、この短辺に対応する裏片のアウターポケット側の短辺との重合端縁部分を開閉可能とする第１線ファスナーと、前記外装具本体における表片の他方の短辺と、この短辺に対応する裏片の他方の短辺との重合端縁部分を開閉可能とする第２線ファスナーと、を具備する端辺開閉ファスナー機構部と、前記外装具本体における一方の短辺、他方の短辺に各々対称配置に取り付けた一対の取っ手と、を具備する外装具と、折り畳み展開可能なシート状に形成した内装具本体と、前記内装具本体の平行な両辺略全域に各々取り付けたループファスナーと、前記内装具本体の平行な他方の両辺略全域に各々取り付けた一対のエレメント及びスライダを含む一対構成のオープンファスナーと、前記内装具本体における中央部で、かつ、オープンファスナーと平行な位置であって両隅部を除いた領域に設けた前記内装具本体の中央部を開口又は閉塞する止めファスナーと、を具備する身体着用内装具と、を有する構成の基に、軽量、コンパクトで、機能性、ファッション性を備え、インドア、アウトドアを問わず、保温性、防寒性を有する衣類用途、寝具用途、敷物用途は勿論のこと、物品運搬用途等にも使用できる使用形態をとることができ、極めて多岐にわたる用途に有効活用できる多用途身体着用具セットを実現し、提供することができる。
【００１１】
請求項２記載の考案によれば、ナイロンリップ素材を用い、中綿キルティング仕様とした長方形状の表片と、外面側を防水布貼り仕様とし、かつ、一方の短辺側が開口し外面を防水布貼り仕様のアウターポケットを設けた長方形状の裏片とを重合し、両側長辺を逢着又はその他の結合手段により結合して二つ折り及び展開可能であり、内部にインナーポケット領域を形成する二重構造とした外装具本体と、前記外装具本体における表片の一方の短辺と、この短辺に対応する裏片のアウターポケット側の短辺との重合端縁部分を開閉可能とする第１線ファスナーと、前記外装具本体における表片の他方の短辺と、この短辺に対応する裏片の他方の短辺との重合端縁部分を開閉可能とする第２線ファスナーと、を具備する端辺開閉ファスナー機構部と、前記外装具本体における一方の短辺、他方の短辺に各々対称配置に取り付けた一対の取っ手と、前記一対の取っ手を重ねたときこれら一対の取っ手を止着するドット釦と、を具備する外装具と、起毛素材とナイロンリップ素材とを用い、四角形状で折り畳み展開可能な四角形シート状に形成した内装具本体と、前記内装具本体の平行な両辺略全域に各々取り付けたループファスナーと、前記内装具本体の平行な他方の両辺略全域に各々取り付けた一対のエレメント及びスライダを含む一対構成のオープンファスナーと、前記内装具本体における中央部で、かつ、前記オープンファスナーと平行な位置であって両隅部を除いた領域に設けた前記内装具本体の中央部を開口又は閉塞する止めファスナーと、を具備する身体着用内装具と、を有する構成の基に、軽量、コンパクトで、機能性、ファッション性を備え、インドア、アウトドアを問わず、保温性、防寒性を有する衣類用途、寝具用途、敷物用途は勿論のこと、物品運搬用途等にも使用できる使用形態をとることができ、極めて多岐にわたる用途に有効活用できる多用途身体着用具セットを実現し、提供することができる。
【００１２】
請求項３記載の考案によれば、前記外装具を展開状態とし、一対の取っ手を前記インナーポケット領域又はアウターポケット内に収納するとともに、防水布貼り仕様とした外面側を下面として地面、床面に敷くことにより、前記外装具をシート又は敷物として機能させことができ、これにより、軽量、コンパクトで取り扱いが便利であるとともに例えばアウトドアでのピクニック、スポーツ試合観戦等における敷物用途として保温性、防寒性を発揮させることができる外装具を備えた多用途身体着用具セットを実現し、提供することができる。
【００１３】
請求項４記載の考案によれば、外装具の一対の取っ手を折り込んで前記インナーポケット領域又はアウターポケット内に収納するとともに、外装具本体を前記表片が外側となるようにして中央から二つ折りし、二つ折り状態におけるインナーポケット領域内に前記内装具を折り畳み状態で収納することで、軽量、コンパクトで取り扱いが便利であるとともに、車の中や長距離電車、飛行機内等における簡易な枕又はクッションとして好適に使用でき、旅行等に携帯して便利な枕又はクッションとして機能する外装具、身体着用内装具を備えた多用途身体着用具セットを実現し、提供することができる。
【００１４】
請求項５記載の考案によれば、外装具の一対の取っ手をそのまま露出させるとともに外装具本体を表片が外側となるようにして中央から二つ折りし、二つ折りされたインナーポケット領域（二重ポケット）を内部に形成し、第１線ファスナー、第２線ファスナーを上部位置とし、更に、一対の取っ手を重ね合わせてドット釦により止着する態様で、軽量、コンパクトで取り扱いが便利であるとともに、機能性、ファッション性に優れ、更に、二重ポケット構造により、比較的寸法の大きい物品用のポケットと、小物入れ用のポケットとに分別使用できて機能的に優れ、各種物品、書類、携帯電話や化粧用具類、ハンカチ等の小物物品類の運搬用として好適に利用できる多用途身体着用具セットを実現し、提供することができる。
【００１５】
請求項６記載の考案によれば、身体着用内装具における内装具本体の起毛素材側を内面に、ナイロンリップ素材を外面にして、中央部から二つ折りするとともに、止めファスナーを開いて内装具本体の中央部を開口し、かつ、内装具本体の両辺に各々取り付けたループファスナーの一部を各々開ける態様として、使用者Ｍの頭部が前記中央部から突出し、両手が両側のループファスナーの外方に突出する形態として、コンパクトで取り扱いが便利であるとともに、冬季等の低温季において、インドア、アウトドアを問わず、特にアウトドアにおいて風や寒さを防ぐ防寒性に優れた衣類の一種として有効に利用することができるポンチョとして機能させることができる身体着用内装具を備えた多用途身体着用具セットを実現し、提供することができる。
【００１６】
請求項７記載の考案によれば、内装具本体の起毛素材側を内面にして中央から二つ折りし、内装具本体の止めファスナーを閉じ、かつ、両辺に各々取り付けたループファスナーの一部を開ける態様として、オープンファスナーを取り付けた一方の辺の中央部を首の後ろにして肩から被り、両手が両側のループファスナーの外方に突出する形態として、軽量、コンパクトで取り扱いが便利であるとともに、冬季等の低温季において、インドア、アウトドアを問わず、特にアウトドアにおいて風や寒さを防ぐ防寒性に優れた衣類の一種モモンガとして有効に利用することができる身体着用内装具を備えた多用途身体着用具セットを実現し、提供することができる。
【００１７】
請求項８記載の考案によれば、内装具本体の起毛素材側を内面にし、内装具本体の止めファスナーを開け、かつ、内装具本体の両辺に各々取り付けたループファスナーの一部を開ける態様とし、更に、肩回りを折り返した状態で、使用者の頭部が前記中央部から突出し、両手が両側のループファスナーの外方に突出するように着ることで、軽量、コンパクトで取り扱いが便利であるとともに、冬季等の低温季において、インドア、アウトドアを問わず、特にアウトドアにおいて風や寒さを防ぐ防寒性に優れた衣類の一種であるジレ（又はベスト）として有効に利用することができる身体着用内装具を備えた多用途身体着用具セットを実現し、提供することができる。
【００１８】
請求項９記載の考案によれば、内装具本体を展開状態とするとともに、起毛素材側を内面にし、内装具本体の止めファスナーを開け、開口した中央部を使用者Ｍが腰回りに着用することで、軽量、コンパクトで取り扱いが便利であるとともに、インドア、アウトドアを問わず、特にアウトドアにおいて風や寒さを防ぐ防寒性に優れた衣類の一種として機能するスカートとして有効に利用することができる身体着用内装具を備えた多用途身体着用具セットを実現し、提供することができる。
【００１９】
請求項１０記載の考案によれば、内装具本体の起毛素材側を内面にして中央から二つ折りし、この身体着用内装具を膝等に被せることで、軽量、コンパクトで取り扱いが便利であるとともに、インドア、アウトドアを問わず、特にアウトドアにおいて風や寒さを防ぐ防寒性に優れた防寒具として、また、冷房の利いた室内での防寒具として有効に利用することができるケット態様を実現できる身体着用内装具を備えた多用途身体着用具セットを実現し、提供することができる。
【００２０】
請求項１１記載の考案によれば、内装具本体の起毛素材側を内面にして中央から二つ折りし、一対構成のオープンファスナーを一部を除いて閉状態として筒状とし、使用者の身体の一部（例えば下半身）を内装具本体内に挿入する態様とすることで、軽量、コンパクトで取り扱いが便利であるとともに、特にアウトドアでのキャンプ場等で簡易な寝具等として有効に利用することができるシュラフ（ハーフシュラフ）として機能する身体着用内装具を備えた多用途身体着用具セットを実現し、提供することができる。
【図面の簡単な説明】
【００２１】
【図１】図１は本考案の実施例に係る多用途身体着用具セットにおける外装具の表面図である。
【図２】図２は本実施例に係る多用途身体着用具セットにおける外装具の裏面図である。
【図３】図３は本実施例に係る多用途身体着用具セットにおける外装具のインナーポケット領域に取っ手を収納した状態を示す部分斜視図
【図４】図４は本実施例に係る多用途身体着用具セットにおける身体着用内装具の表面図である。
【図５】図５は本実施例に係る多用途身体着用具セットにおける身体着用内装具の裏面図である。
【図６】図６は本実施例に係る多用途身体着用具セットにおける身体着用内装具を二つ折りした状態の概略側面図である。
【図７】図７は本実施例に係る多用途身体着用具セットにおける身体着用内装具の一つの隅部を示す部分拡大図である。む
【図８】図８は本実施例に係る多用途身体着用具セットの外装具を敷物として機能させる状態の平面図である。
【図９】図９は本実施例に係る多用途身体着用具セットの外装具を枕又はクッションとして機能させる状態の概略図である。
【図１０】図１０は本実施例に係る多用途身体着用具セットの外装具を手持ちバッグとして機能させる状態の概略斜視図である。
【図１１】図１１は本実施例に係る多用途身体着用具セットの身体着用内装具をポンチョとして機能させる状態の概略斜視図である。
【図１２】図１２は本実施例に係る多用途身体着用具セットの身体着用内装具をモモンガとして機能させる状態の概略斜視図である。
【図１３】図１３は本実施例に係る多用途身体着用具セットの身体着用内装具をジレとして機能させる状態の概略斜視図である。
【図１４】図１４は本実施例に係る多用途身体着用具セットの身体着用内装具をスカートとして機能させる状態の概略斜視図である。
【図１５】図１５は本実施例に係る多用途身体着用具セットの身体着用内装具をケットとして機能させる状態の概略斜視図である。
【図１６】図１６は本実施例に係る多用途身体着用具セットの身体着用内装具をシュラフとして機能させる状態の概略斜視図である。
【考案を実施するための形態】
【００２２】
本考案は、軽量、コンパクトで、機能性、ファッション性を備え、インドア、アウトドアを問わず、保温性、防寒性を有する衣類用途、寝具用途、敷物用途は勿論のこと、物品運搬用途等にも使用でき、極めて多岐にわたる用途に活用できる多用途身体着用具セットを提供するというという目的を、ナイロンリップ素材を用い、中綿キルティング仕様とした長方形状の表片と、外面側を防水布貼り仕様とし、かつ、一方の短辺側が開口し外面を防水布貼り仕様のアウターポケットを設けた長方形状の裏片とを重合し、両側長辺を逢着又はその他の結合手段により結合して二つ折り及び展開可能であり、内部にインナーポケット領域を形成する二重構造とした外装具本体と、前記外装具本体における表片の一方の短辺と、この短辺に対応する裏片のアウターポケット側の短辺との重合端縁部分を開閉可能とする第１線ファスナーと、前記外装具本体における表片の他方の短辺と、この短辺に対応する裏片の他方の短辺との重合端縁部分を開閉可能とする第２線ファスナーと、を具備する端辺開閉ファスナー機構部と、前記外装具本体における一方の短辺、他方の短辺に各々対称配置に取り付けた一対の取っ手と、前記一対の取っ手を重ねたときこれら一対の取っ手を止着するドット釦と、を具備する外装具と、起毛素材とナイロンリップ素材とを用い、四角形状で折り畳み展開可能な四角形シート状に形成した内装具本体と、前記内装具本体の平行な両辺略全域に各々取り付けたループファスナーと、前記内装具本体の平行な他方の両辺略全域に各々取り付けた一対のエレメント及びスライダを含む一対構成のオープンファスナーと、前記内装具本体における中央部で、かつ、前記オープンファスナーと平行な位置であって両隅部を除いた領域に設けた前記内装具本体の中央部を開口又は閉塞する止めファスナーと、を具備する身体着用内装具と、を有する構成により実現した。
【実施例】
【００２３】
以下、図面を参照しながら本考案の実施例に係る多用途身体着用具セットについて詳細に説明する。
【００２４】
本実施例に係る多用途身体着用具セット１は、図１、図２に示す例えば長方形シート状の外装具１１と、図４、図５に示す四角形（例えば正方形）シート状の身体着用内装具３１と、を有している。
【００２５】
前記外装具１１は、表地として防水布として機能するナイロンリップ素材１３ａ（ポリエステル材）、エコハチ（高密度織物．防水．撥水．透湿素材）を用いた長方形状の表片１３と、裏地として、起毛素材（ポリエステル材）を用い、外面側を防水布貼り仕様とした長方形状の裏片１４とを重合し、両側長辺を逢着又はその他の結合手段（圧着や接着材を用いて接着）により結合して二つ折り及び展開可能であり、内部にインナーポケット領域１５を形成する二重構造とした外装具本体１２を具備している。
【００２６】
前記外装具本体１２の表片１３内には、中綿（ドミット芯：ポリエステル材）又は樹脂綿を配置し、表片１３側を中綿キルティング仕様としている。
【００２７】
更に、外装具本体１２における裏片１４には、一方の短辺側が開口し外面を防水布貼り仕様で裏片１４の略３／５程度の大きさのアウターポケット１６を設けている。
【００２８】
このアウターポケット１６の上辺部にドット釦２２を配置するようにしてもよい。
【００２９】
本実施例に係る多用途身体着用具セット１は、更に、前記外装具本体１２における表片１３の一方の短辺と、この短辺に対応する裏片１４のアウターポケット１６側の短辺との重合端縁部分を開閉可能とする第１線ファスナー１７と、前記外装具本体１２における表片１３の他方の短辺と、この短辺に対応する裏片１４の他方の短辺との重合端縁部分を開閉可能とする第２線ファスナー１８と、を具備する端辺開閉ファスナー機構部１９と、外装具本体１２における一方の短辺、他方の短辺に各々対称配置に取り付けた例えば半円状の一対の取っ手２０Ａ、２０Ｂと、取っ手２０Ａに設けた一対のドット釦２１ａと、取っ手２０Ｂに設けた一対のドット釦２１ｂとを具備している。
【００３０】
そして、前記一対のドット釦２１ａをメス構造、前記一対のドット釦２１ｂをオス構造とすることで、前記一対の取っ手２０Ａ、２０Ｂを重ね合わせたとき、これらを一体的に止着するように構成している。
【００３１】
このような構成により、前記外装具１１は、洗濯丸洗い可能  低温アイロン可能な構成としている。
【００３２】
また、前記外装具本体１２においては、例えば、図３に示すように、他方の取っ手２０Ｂを折り返して、前記インナーポケット領域１５内に収納可能に構成している。この場合、前記外装具本体１２の他方のインナーポケット領域１５の開口部分にドット釦２２を配置するようにしてもよい。
【００３３】
同様に、図示していないが、一方の取っ手２０Ａを折り返して前記インナーポケット領域１５内又はアウターポケット１６内に収納可能に構成している。また、前記表片１３の
色は特に限定するものではなく、赤、青、黄、ピンク等、種々の色仕様とすることができ、また、前記表片１３の素材も特に限定するものではない。
【００３４】
前記身体着用内装具３１は、図４、図５に示すように、裏地としての起毛素材３３と表地としてのナイロンリップ素材３４とを用いて、周辺部を全体にわたって縫合して折り畳み展開可能な四角形シート状の正方形状シート状に形成した内装具本体３２を具備している。
【００３５】
また、前記身体着用内装具３１は、前記内装具本体３２の平行な両辺略全域にわたって各々取り付けたループファスナー３５、３５と、前記内装具本体３２の平行な他方の両辺略全域に各々取り付けた一対のエレメント３７、３７及びスライダ３８を含む図５において上下一対構成のオープンファスナー３６と、前記内装具本体３２における中央部で、かつ、前記オープンファスナー３６と平行な位置であって、両隅部を除いた領域に設けられて、この内装具本体３２の中央部を開口又は閉塞する止めファスナー３９と、を具備している。
【００３６】
そして前記内装具本体３２を中央から二つ折りし、ループファスナー３５、３５のスライダ３８を使用して一対のエレメント３７、３７を連結することにより、図６に示すように、前記内装具本体３２の図５に示すような左右両辺を各々閉塞したり、左右両辺の一部を閉塞し残りの一部開口し着用者の腕通し用としたりできるように構成している。
【００３７】
図７は、前記内装具本体３２の一つの隅部におけるループファスナー３５の末端部及び一方のオープンファスナー３６のエレメント３７、スライダ３８を示している。前記ループファスナー３５、オープンファスナー３６、止めファスナー３９としては、通常の線ファスナーを用いる場合の他、各種のファスナーを用いることができ、特に限定するものではない。
【００３８】
前記ナイロンリップ素材３４は、表面に微細な凹凸が形成されるように編成したナイロン織物素材であり、引き裂き強度に優れる。
【００３９】
前記身体着用内装具３１の寸法構成例について言及すると、一辺の寸法１３０ｃｍ等の例を挙げることができるが、これらの寸法に限定されるものではないことは言うまでもない。
【００４０】
また、前記起毛素材３３、ナイロンリップ素材３４の色も、特に限定するものではなく、赤、青、黄、ピンク等、種々の色仕様とすることができる。
【００４１】
更に、本実施例に係る多用途身体着用具セット１において、前記起毛素材３３が外面に表出する領域については多数の点々を付して示す。
【００４２】
次に、本実施例に係る多用途身体着用具セット１の種々の具体的使用態様について態様別に説明する。
【００４３】
（使用態様１）
図８は、本実施例に係る多用途身体着用具セット１における前記外装具１１を展開状態とし、一対の取っ手２０Ａ、２０Ｂを折り込んで前記インナーポケット領域１５又はアウターポケット１６内に収納するとともに、前記防水布貼り仕様とした外面側を下面として、地面、床面等に敷くことにより、この外装具１１をシートとして機能させる態様を示すものである。
【００４４】
このような使用態様１を有する前記外装具１１は、軽量、コンパクトで、取り扱いが便利であるとともに例えばアウトドアでのピクニック、スポーツ試合観戦等におけるシート、敷物用途等として優れた保温性、防寒性を発揮させることができる。また、外装具１１をシートとして使用した後、汚れた面を内側にしてバッグとして持ち帰ることもでき、衛生的にも優れた効果を発揮する。
【００４５】
（使用態様２）
図９は、本実施例に係る多用途身体着用具セット１における前記外装具１１の一対の取っ手２０Ａ、２０Ｂを折り込んで前記インナーポケット領域１５又はアウターポケット１６内に収納するとともに、前記外装具本体１２を前記表片１３が外側となるようにして中央から二つ折りし、二つ折り状態におけるインナーポケット領域１５内に前記内装具３１を折り畳み状態で収納し、この外装具１１を枕又はクッションとして機能させる態様を示すものである。
【００４６】
このような形態の外装具１１によれば、軽量、コンパクトで取り扱いが便利であるとともに、車の中や長距離電車、飛行機内等における簡易な枕又はクッションとして好適に利用できる。
【００４７】
（使用態様３）
図１０は、本実施例に係る多用途身体着用具セット１における前記外装具１１の一対の取っ手２０Ａ、２０Ｂをそのまま露出させるとともに、前記外装具本体１２を前記表片１３が外側となるようにして中央から二つ折りし、二つ折りされたインナーポケット領域１５（二重ポケット）を内部に形成し、第１線ファスナー１７、第２線ファスナー１８を上部位置とし、更に、一対の取っ手２０Ａ、２０Ｂを重ね合わせてドット釦２１ａ、２１ｂにより取っ手２０Ａ、２０Ｂを止着して、前記外装具１１を手持ちバッグとして機能させる態様を示すものである。
【００４８】
このような形態の外装具１１によれば、インナーポケット領域１５、更には、前記アウターポケット１６を備えた構成の基に、軽量、コンパクトで取り扱いが便利であるとともに、インナーポケット領域１５とアウターポケット１６との組み合わせにより、インナーポケット領域１５を比較的寸法の大きい物品（例えばノートパソコン、書類束等）用のポケットとし、アウターポケット１６を小物入れ用のポケットとして分別使用できて機能的に優れ、全体として機能性、ファッション性に優れ、各種物品、書類、携帯電話や化粧用具類、ハンカチ等の小物物品類の運搬用として好適に利用できる多用途身体着用具セット１を実現することができる。
【００４９】
（使用態様４）
図１１は、本実施例に係る多用途身体着用具セット１の身体着用内装具３１における内装具本体３２の起毛素材３３側を内面に、ナイロンリップ素材３４を外面にして、中央部から二つ折りするとともに、止めファスナー３９を開いて内装具本体３２の中央部を開口し、かつ、内装具本体３２の両辺に各々取り付けたループファスナー３５、３５の一部を各々開ける態様として、使用者Ｍの頭部が前記中央部から突出し、両手が両側のループファスナー３５、３５の外方に突出する形態として、この身体着用内装具３１をポンチョとして機能させる態様を示すものである。
【００５０】
このような形態の身体着用内装具３１によれば、軽量、コンパクトで取り扱いが便利であるとともに、冬季等の低温季において、インドア、アウトドアを問わず有効に利用することができ、特にアウトドアにおいて風や寒さを防ぐ防寒性に優れた衣類の一種として有効に利用することができる。
更に、使用者Ｍが身体着用内装具３１をポンチョとして着用するとともに、前記外装具１１を手持ちバッグ形態として携えることにより、ファッション性を十分に発揮させることができる多用途身体着用具セット１を実現することができる。
【００５１】
（使用態様５）
図１２は、本実施例に係る多用途身体着用具セット１における身体着用内装具３１の内装具本体３２の起毛素材３３側を内面にして中央から二つ折りし、内装具本体３２の止めファスナー３９を閉じ、かつ、両辺に各々取り付けたループファスナー３５、３５の一部を開ける態様として、オープンファスナー３６を取り付けた一方の辺の中央部を首の後ろにして肩から被り、両手が両側のループファスナー３５、３５の外方に突出する形態として、この身体着用内装具３１を内装具３１をモモンガとして機能させる態様を示すものである。
【００５２】
このような形態の身体着用内装具３１によれば、軽量、コンパクトで取り扱いが便利であるとともに、冬季等の低温季において、インドア、アウトドアを問わず有効に利用することができ、特にアウトドアにおいて風や寒さを防ぐ防寒性に優れた衣類の一種として有効に利用することができる。
更に、使用者Ｍが身体着用内装具３１をモモンガとして着用するとともに、前記外装具１１を手持ちバッグ形態として携えることにより、ファッション性を十分に発揮させることができる多用途身体着用具セット１を実現することができる。
【００５３】
（使用態様６）
図１３は、本実施例に係る多用途身体着用具セット１における身体着用内装具３１の内装具本体３２の起毛素材２３側を内面にし、内装具本体３２の止めファスナー３９を開け、かつ、内装具本体３２の両辺に各々取り付けたループファスナー３５、３５の一部を開ける態様とし、更に、肩回りを折り返した状態で、使用者Ｍの頭部が前記中央部から突出し、両手が両側のループファスナー３５、３５の外方に突出するように着ることで、この身体着用内装具をジレ（又はベスト）として機能させる態様を示すものである。
【００５４】
このような形態の身体着用内装具３１によれば、軽量、コンパクトで取り扱いが便利であるとともに、冬季等の低温季において、インドア、アウトドアを問わず有効に利用することができ、特にアウトドアにおいて風や寒さを防ぐ防寒性に優れた衣類の一種として有効に利用することができる。
更に、使用者Ｍが身体着用内装具３１をジレ（又はベスト）として着用するとともに、前記外装具１１を手持ちバッグ形態として携えることにより、ファッション性を十分に発揮させることができる多用途身体着用具セット１を実現することができる。
【００５５】
（使用態様７）
図１４は、本実施例に係る多用途身体着用具セット１における身体着用内装具３１の内装具本体３２を展開状態とするとともに、起毛素材２３側を内面にし、内装具本体３２の止めファスナー３９を開け、開口した中央部を使用者Ｍが腰回りに着用することで、この身体着用内装具３１をスカートとして機能させる態様を示すものである。
【００５６】
このような形態の身体着用内装具３１によれば、軽量、コンパクトで取り扱いが便利であるとともに、インドア、アウトドアを問わず、特にアウトドアにおいて風や寒さを防ぐ防寒性に優れた衣類の一種として有効に利用することができる。
【００５７】
更に、使用者Ｍが身体着用内装具３１をスカートとして着用するとともに、前記外装具１１を手持ちバッグ形態として携えることにより、ファッション性を十分に発揮させることができる多用途身体着用具セット１を実現することができる。
【００５８】
（使用態様８）
図１５は、本実施例に係る多用途身体着用具セット１における身体着用内装具３１の内装具本体３２の起毛素材３３側を内面にして中央から二つ折りし、この身体着用内装具３１をケット態様で機能させる態様を示すものである。
【００５９】
このような形態の身体着用内装具３１によれば、軽量、コンパクトで取り扱いが便利であるとともに、インドア、アウトドアを問わず、特にアウトドアにおいて風や寒さを防ぐ防寒性に優れた防寒具として、また、冷房の利いた室内での防寒具として有効に利用することができる。
【００６０】
更に、使用者Ｍが身体着用内装具３１をスカートとして着用するとともに、前記外装具１１を敷物として利用することにより、より防寒効果を高めることができる多用途身体着用具セット１を実現することができる。
【００６１】
（使用態様９）
図１６は、本実施例に係る多用途身体着用具セット１における身体着用内装具３１の内装具本体３２の起毛素材３３側を内面にして中央から二つ折りし、一対構成のオープンファスナー３６を一部を除いて閉状態として筒状とし、使用者Ｍの身体の一部（例えば下半身）を内装具本体３２内に挿入する態様とし、この身体着用内装具をシュラフ（ハーフシュラフ）として機能させる態様を示すものである。
【００６２】
この形態の身体着用内装具３１によれば、軽量、コンパクトで取り扱いが便利であるとともに、特にアウトドアでのキャンプ場等で簡易な寝具等として有効に利用することができる。
【００６３】
また、使用者Ｍが椅子４０等に腰掛け休息するような場合において、前記身体着用内装具３１をシュラフとして利用するとともに、前記外装具１１を休息用の敷物として利用することにより、アウトドア等での防寒効果をより高めることができる多用途身体着用具セット１を実現することができる。
【００６４】
以上説明した本考案の多用途身体着用具セット１は、使用態様としてインドア、アウトドアを問わず極めて広範である点に顕著な特徴を有するものである。すなわち、使用態様としては、上述した場合の他、身体着用内装具３１をオフィス内、家でのソファー着座時におけるインナーウェア、緊急災害時の臨時衣類、防寒具等として使用することもできる。
【００６５】
また、身体着用内装具３１を折り畳み、外装具１１内に収納し、災害対策用備品として、オフィス又は家等に置いておくようにすることもできる。
【００６６】
このように、本考案の多用途身体着用具セット１によれば、外装具１１、身体着用内装具３１の全てを余すことなく有効に使用することができ、日常生活の備品として備えておくことで、突然起こる地震、台風等に対する災害対策用として、また、ファッション性の高い衣類、携帯用具として有効に活用でき、従来の「結ぶ」ことを主とする風呂敷、「座る」ことを主とする座布団等に替わる有用な用具として顕著な効果を発揮するものである。
【産業上の利用可能性】
【００６７】
本考案に係る多用途身体着用具セットは、全体として軽量、コンパクトな構造で、機能性、ファッション性を備え、保温性を有する敷物用途や衣類用途、保温性を有する寝具用途、更には物品保管具、運搬具等、多岐にわたる使用状況に対応可能な多用途身体着用具セットとして広範に活用可能である。
【符号の説明】
【００６８】
１    多用途身体着用具セット
１１    外装具
１２    外装具本体
１３    表片
１３ａ  ナイロンリップ素材
１４    裏片
１５    インナーポケット領域
１６    アウターポケット
１７    第１線ファスナー
１８    第２線ファスナー
１９    端辺開閉ファスナー機構部
２０Ａ  取っ手
２０Ｂ  取っ手
２１ａ  ドット釦
２１ｂ  ドット釦
２２    ドット釦
２３    起毛素材
３１    身体着用内装具
３２    内装具本体
３３    起毛素材
３４    ナイロンリップ素材
３５    ループファスナー
３７    エレメント
３８    スライダ
３９    止めファスナー
４０    椅子
Ｍ    使用者
【図１】
0003188548.tif 000003
【図２】
0003188548.tif 000004
【図３】
0003188548.tif 000005
【図４】
0003188548.tif 000006
【図５】
0003188548.tif 000007
【図６】
0003188548.tif 000008
【図７】
0003188548.tif 000009
【図８】
0003188548.tif 000010
【図９】
0003188548.tif 000011
【図１０】
0003188548.tif 000012
【図１１】
0003188548.tif 000013
【図１２】
0003188548.tif 000014
【図１３】
0003188548.tif 000015
【図１４】
0003188548.tif 000016
【図１５】
0003188548.tif 000017
【図１６】
0003188548.tif 000018